(57)【要約】【課題】冗長フレームが付加されたデータセグメントの再生の際に、セクタ位相の同期化処理を適正に行い正しくデータを読み取ることを可能とする光ディスク再生におけるデータ復調装置を提供する。【解決手段】ＳＹＮＣパターン検出信号を与えられ隣接する物理セクタ間に冗長フレームが無い場合又は有る場合の同期信号パターンの発生順序を検出してセクタ先頭検出信号を出力するＳＹＮＣパターン発生順序検出装置２０ａ、２０ｂと、フレームタイミング信号とセクタ先頭検出信号とを与えられ、物理セクタの周期性に基づいて再生信号の復調タイミングの位相を制御するためのセクタ先頭フレームタイミング信号を出力する物理セクタ同期制御装置２１とを備える。【選択図】図４
2009252252.tif 000002
【特許請求の範囲】
【請求項１】
光ディスクから再生された再生信号から検出されたＳＹＮＣパターンに基づいたＳＹＮＣパターン検出信号を与えられ、隣接する物理セクタ間に冗長フレームが無い場合の前記ＳＹＮＣパターンの発生順序を検出し、第１のセクタ先頭検出信号を出力する第１のＳＹＮＣパターン発生順序検出装置と、
前記ＳＹＮＣパターン検出信号を与えられ、隣接する前記物理セクタ間に前記冗長フレームが有る場合の前記ＳＹＮＣパターンの発生順序を検出し、第２のセクタ先頭検出信号を出力する第２のＳＹＮＣパターン発生順序検出装置と、
ＳＹＮＣフレームのタイミングを示すフレームタイミング信号と、前記第１のセクタ先頭検出信号又は前記第２のセクタ先頭検出信号とを与えられ、前記物理セクタの周期性に基づいて、前記光ディスクから再生された再生信号の復調タイミングの位相を制御するためのセクタ先頭フレームタイミング信号を出力する物理セクタ同期制御装置と、
を備えることを特徴とする光ディスク再生におけるデータ復調装置。
【請求項２】
光ディスクから再生された再生信号を与えられ、ＳＹＮＣパターンを検出したタイミングを示すＳＹＮＣ検出タイミング信号と、検出した前記ＳＹＮＣパターンに基づいたＳＹＮＣパターン検出信号を出力するＳＹＮＣパターン検出装置と、
前記ＳＹＮＣ検出タイミング信号を与えられ、ＳＹＮＣフレームの周期性に基づくフレームタイミング信号と、バイトアドレスとを出力するＳＹＮＣフレーム同期制御装置と、
前記ＳＹＮＣパターン検出信号を与えられ、隣接する物理セクタ間に冗長フレームが無い場合のＳＹＮＣパターンの発生順序を検出し、第１のセクタ先頭検出信号を出力する第１のＳＹＮＣパターン発生順序検出装置と、
前記ＳＹＮＣパターン検出信号を与えられ、隣接する前記物理セクタ間に前記冗長フレームが有る場合の前記ＳＹＮＣパターンの発生順序を検出し、第２のセクタ先頭検出信号を出力する第２のＳＹＮＣパターン発生順序検出装置と、
前記フレームタイミング信号と、前記第１のセクタ先頭検出信号又は前記第２のセクタ先頭検出信号とを与えられ、前記物理セクタの周期性に基づいて、前記光ディスクから再生された再生信号の復調タイミングの位相を制御するためのセクタ先頭フレームタイミング信号と、フレームアドレスとを出力する物理セクタ同期制御装置と、
前記再生信号と前記フレームタイミング信号とを与えられ、復調データを生成して出力する復調装置と、
前記セクタ先頭フレームタイミング信号と前記復調データとを与えられ、前記セクタ先頭フレームタイミング信号が示すセクタ先頭フレームのデータに対し、ＩＤデータの正誤の判定に基づきセクタアドレスを出力するＩＤデータ検出装置と、
前記セクタアドレスと、前記フレームアドレスと、前記バイトアドレスと、前記復調データとを与えられ、前記復調データをメモリに書き込むときのメモリアドレスを出力するメモリアドレス生成装置と、
を備えることを特徴とする光ディスク再生におけるデータ復調装置。
【請求項３】
前記物理セクタ同期制御装置は、前記冗長フレームが無い場合の第１のセクタ先頭予測タイミング信号と、前記冗長フレームが有る場合の第２のセクタ先頭予測タイミング信号とを生成して前記第１のセクタ先頭検出信号又は前記第２のセクタ先頭検出信号とを比較し、その結果に基づいて前記セクタ先頭フレームタイミング信号を出力することを特徴とする請求項１又は２記載の光ディスク再生におけるデータ復調装置。
【請求項４】
光ディスクから再生された再生信号から検出されたＳＹＮＣパターンに基づいたＳＹＮＣパターン検出信号を与えられ、ＳＹＮＣパターンの発生順序を検出し、セクタ先頭検出信号を出力するＳＹＮＣパターン発生順序検出装置と、
ＳＹＮＣフレームのタイミングを示すフレームタイミング信号と、前記セクタ先頭検出信号とを与えられ、物理セクタの周期性に基づいて、前記光ディスクから再生された再生信号の復調タイミングの位相を制御するためのセクタ先頭フレームタイミング信号、及び前記セクタ先頭フレームタイミング信号を１フレーム遅らせたセクタ先頭＋１フレームタイミング信号を出力する物理セクタ同期制御装置と、
前記セクタ先頭フレームタイミング信号及び前記セクタ先頭＋１フレームタイミング信号と、前記光ディスクに書き込まれたデータを復調した復調データとを与えられ、前記セクタ先頭フレームタイミング信号に示された前記物理セクタのＩＤデータ及び前記セクタ先頭＋１フレームタイミング信号に示された前記物理セクタのＩＤデータの正誤判定を行い、その判定結果に基づいてセクタアドレスを生成し、前記セクタ先頭＋１フレームタイミング信号に示された前記物理セクタのＩＤデータが正しいと判定した場合は冗長フレームの存在を検出したことを示す冗長フレーム検出信号を出力するＩＤ検出装置と、
を備え、
前記物理セクタ同期制御装置は、前記冗長フレーム検出信号の有無に対応して、前記セクタ先頭フレームタイミング信号及び前記セクタ先頭＋１フレームタイミング信号の位相を制御することを特徴とする光ディスク再生におけるデータ復調装置。
【請求項５】
光ディスクから再生された再生信号から検出されたＳＹＮＣパターンに基づいたＳＹＮＣパターン検出信号を与えられ、隣接する物理セクタ間に冗長フレームが無い場合の同期信号パターンの発生順序を検出し、第１のセクタ先頭検出信号を出力する第１のＳＹＮＣパターン発生順序検出装置と、
前記ＳＹＮＣパターン検出信号を与えられ、隣接する前記物理セクタ間に前記冗長フレームが有る場合の前記ＳＹＮＣパターンの発生順序を検出し、第２のセクタ先頭検出信号を出力する第２のＳＹＮＣパターン発生順序検出装置と、
ＳＹＮＣフレームのタイミングを示すフレームタイミング信号と、前記第１のセクタ先頭検出信号又は前記第２のセクタ先頭検出信号とを与えられ、物理セクタの周期性に基づいて、前記光ディスクから再生された再生信号の復調タイミングの位相を制御するためのセクタ先頭フレームタイミング信号、及び前記セクタ先頭フレームタイミング信号を１フレーム遅らせたセクタ先頭＋１フレームタイミング信号を出力する物理セクタ同期制御装置と、
前記セクタ先頭フレームタイミング信号及び前記セクタ先頭＋１フレームタイミング信号と、前記光ディスクに書き込まれたデータを復調した復調データとを与えられ、前記セクタ先頭フレームタイミング信号に示された前記物理セクタのＩＤデータ及び前記セクタ先頭＋１フレームタイミング信号に示された前記物理セクタのＩＤデータの正誤判定を行い、その判定結果に基づいてセクタアドレスを生成し、前記セクタ先頭＋１フレームタイミング信号に示された前記物理セクタのＩＤデータが正しいと判定した場合は冗長フレームの存在を検出したことを示す冗長フレーム検出信号を出力するＩＤ検出装置と、
を備え、
前記物理セクタ同期制御装置は、前記冗長フレーム検出信号の有無に対応して、前記セクタ先頭フレームタイミング信号及び前記セクタ先頭＋１フレームタイミング信号の位相を制御することを特徴とする光ディスク再生におけるデータ復調装置。
【発明の詳細な説明】
【技術分野】
【０００１】
本発明は、光ディスクから再生されたデータの復調を行う装置に関する。
【背景技術】
【０００２】
光ディスクから再生されたデータを復調する際に、物理セクタの周期性に基づいて物理セクタの先頭を予測してセクタ先頭検出信号を生成する。しかし、再生エラーによりＳＹＮＣパターンが破壊され、セクタ先頭予測期間内にセクタ先頭検出信号が得られない場合は、物理セクタの周期性に基づく擬似セクタ先頭検出信号を生成し、セクタ先頭フレームタイミング信号を生成してＩＤ（Identification）データの検出を行う。
【０００３】
セクタ先頭予測期間内にセクタ先頭検出信号が連続して得られなかった場合は、その回数が所望の回数に達した時点でセクタ先頭予測を中止し、セクタ先頭フレームタイミング信号を新しいセクタ先頭検出信号の位相に同期化する。
【０００４】
このような現象は、光ディスク上のキズや汚れ等の再生エラーによりＳＹＮＣパターンが破壊された場合、あるいはトラックジャンプやディスクスリップ等の再生エラーによりセクタ位相が変化した場合に発生する。
【０００５】
セクタ先頭予測による保護を中止する条件、即ちセクタ先頭予測期間内にセクタ先頭検出信号が得られない回数を少なく設定すると、セクタ位相が変化した場合のセクタ先頭フレームタイミング信号の同期化は早く行われる。しかし、再生エラーによりＳＹＮＣパターンが破壊された場合等では、不要なセクタ先頭フレームタイミング信号の同期化が行われるため、セクタ先頭フレームタイミング信号の位相の安定性は低下する。通常、光ディスク上のキズや汚れなどの再生エラーの発生頻度は、トラックジャンプやディスクスリップ等の再生エラーの発生頻度よりも高いので、少なくとも数回程度はセクタ先頭予測による保護を行う。
【０００６】
ところでＨＤＤＶＤ（High Definition Digital Versatile Disc）では、インターリーブ後のＥＣＣ（Error Correction Code）ブロックデータに対して９１バイト毎に所定パターンの同期信号ＳＹ０〜ＳＹ３を付加して各々のＳＹＮＣフレームを生成し、２６個のＳＹＮＣフレームで物理セクタを構成する。１個のＥＣＣブロックデータから１６個の物理セクタを生成する。同期信号ＳＹ０〜ＳＹ３はそれぞれ２４ビットであり、データは８→１２変調するので、ＳＹＮＣフレーム長は１１１６ビットとなる。
【０００７】
ＨＤＤＶＤにおけるデータセグメントの構成について述べる。データセグメントの先頭に７１バイトのＶＦＯ領域を設け、その後の７７３７６バイトにＤＶＤにおけるＥＣＣブロックに相当するデータを記録するデータ領域を配置する。さらに、データセグメントの最後には２バイトのポストアンブル領域、４バイトのリザーブ領域、１６バイトのバッファ領域を付加し、ポストアンブル領域にはＳＹ１のＳＹＮＣパターンを記録する。
【０００８】
ＤＶＤにおいては、光ディスク上にＥＣＣブロックを連続的に記録するが、ＨＤＤＶＤにおいては光ディスク上にデータセグメントを連続的に記録する。ポストアンブル領域、リザーブ領域、バッファ領域、ＶＦＯ領域でＳＹＮＣフレームが形成され、光ディスク上のデータはデータセグメント毎に１個の冗長フレームが付加された構造となる。
【０００９】
このような構造の再生信号を復調装置に入力した場合における従来の物理セクタ同期制御動作について説明する。現在のデータセグメントにおける１番目〜３番目の物理セクタの位相は、その前段のデータセグメントの終端に付加されている冗長フレームが原因となって変化する。例えば、１番目〜３番目の物理セクタにおいて、セクタ先頭予測期間内にセクタ先頭検出信号が得られず、これらの物理セクタのデータを正しく再生することができなかった。４番目の物理セクタの時点でセクタ先頭フレームタイミング信号を新しいセクタ先頭検出信号の位相に同期化した後、４番目以降の物理セクタは正しく再生することが可能となる。
【００１０】
データセグメントの位相が既知の場合は、冗長フレームが入力されるタイミングを予測することができる。よって、セクタ先頭予測位置を１フレーム遅らせることで、物理セクタ位相検出の乱れを防ぐことが可能である。しかし、シーク直後等のようにデータセグメントの位相を予め予測することができない場合は、物理セクタ位相の同期化処理が遅れて、その間の物理セクタを正しく再生することができない場合があった。
【特許文献１】特開２０００−２０３３４号公報
【発明の開示】
【発明が解決しようとする課題】
【００１１】
本発明は、冗長フレームが付加されたデータセグメントの再生において、物理セクタ位相の同期化処理を適正に行い正しいデータの再生を可能とする光ディスク再生におけるデータ復調装置を提供することを目的とする。
【課題を解決するための手段】
【００１２】
本発明の一態様による光ディスク再生におけるデータ復調装置は、光ディスクから再生された再生信号から検出されたＳＹＮＣパターンに基づいたＳＹＮＣパターン検出信号を与えられ、隣接する物理セクタ間に冗長フレームが無い場合のＳＹＮＣパターンの発生順序を検出し、第１のセクタ先頭検出信号を出力する第１のＳＹＮＣパターン発生順序検出装置と、前記ＳＹＮＣパターン検出信号を与えられ、隣接する前記物理セクタ間に前記冗長フレームが有る場合の前記ＳＹＮＣパターンの発生順序を検出し、第２のセクタ先頭検出信号を出力する第２のＳＹＮＣパターン発生順序検出装置と、ＳＹＮＣフレームのタイミングを示すフレームタイミング信号と、前記第１のセクタ先頭検出信号又は前記第２のセクタ先頭検出信号とを与えられ、前記物理セクタの周期性に基づいて、前記光ディスクから再生された再生信号の復調タイミングの位相を制御するためのセクタ先頭フレームタイミング信号を出力する物理セクタ同期制御装置とを備えることを特徴とする。
【００１３】
本発明の一態様による光ディスク再生におけるデータ復調装置は、光ディスクから再生された再生信号を与えられ、ＳＹＮＣパターンを検出したタイミングを示すＳＹＮＣ検出タイミング信号と、検出した前記ＳＹＮＣパターンに基づいたＳＹＮＣパターン検出信号を出力するＳＹＮＣパターン検出装置と、前記ＳＹＮＣ検出タイミング信号を与えられ、ＳＹＮＣフレームの周期性に基づくフレームタイミング信号と、バイトアドレスとを出力するＳＹＮＣフレーム同期制御装置と、前記ＳＹＮＣパターン検出信号を与えられ、隣接する物理セクタ間に冗長フレームが無い場合のＳＹＮＣパターンの発生順序を検出し、第１のセクタ先頭検出信号を出力する第１のＳＹＮＣパターン発生順序検出装置と、前記ＳＹＮＣパターン検出信号を与えられ、隣接する前記物理セクタ間に前記冗長フレームが有る場合の前記ＳＹＮＣパターンの発生順序を検出し、第２のセクタ先頭検出信号を出力する第２のＳＹＮＣパターン発生順序検出装置と、前記フレームタイミング信号と、前記第１のセクタ先頭検出信号又は前記第２のセクタ先頭検出信号とを与えられ、前記物理セクタの周期性に基づいて、前記光ディスクから再生された再生信号の復調タイミングの位相を制御するためのセクタ先頭フレームタイミング信号と、フレームアドレスとを出力する物理セクタ同期制御装置と、前記再生信号と前記フレームタイミング信号とを与えられ、復調データを生成して出力する復調装置と、前記セクタ先頭フレームタイミング信号と前記復調データとを与えられ、前記セクタ先頭フレームタイミング信号が示すセクタ先頭フレームのデータに対し、ＩＤデータの正誤の判定に基づきセクタアドレスを出力するＩＤデータ検出装置と、前記セクタアドレスと、前記フレームアドレスと、前記バイトアドレスと、前記復調データとを与えられ、前記復調データをメモリに書き込むときのメモリアドレスを出力するメモリアドレス生成装置とを備えることを特徴とする。
【００１４】
本発明の一態様による光ディスク再生におけるデータ復調装置は、光ディスクから再生された再生信号から検出されたＳＹＮＣパターンに基づいたＳＹＮＣパターン検出信号を与えられ、ＳＹＮＣパターンの発生順序を検出し、セクタ先頭検出信号を出力するＳＹＮＣパターン発生順序検出装置と、ＳＹＮＣフレームのタイミングを示すフレームタイミング信号と、前記セクタ先頭検出信号とを与えられ、物理セクタの周期性に基づいて、前記光ディスクから再生された再生信号の復調タイミングの位相を制御するためのセクタ先頭フレームタイミング信号、及び前記セクタ先頭フレームタイミング信号を１フレーム遅らせたセクタ先頭＋１フレームタイミング信号を出力する物理セクタ同期制御装置と、前記セクタ先頭フレームタイミング信号及び前記セクタ先頭＋１フレームタイミング信号と、前記光ディスクに書き込まれたデータを復調した復調データとを与えられ、前記セクタ先頭フレームタイミング信号に示された前記物理セクタのＩＤデータ及び前記セクタ先頭＋１フレームタイミング信号に示された前記物理セクタのＩＤデータの正誤判定を行い、その判定結果に基づいてセクタアドレスを生成し、前記セクタ先頭＋１フレームタイミング信号に示された前記物理セクタのＩＤデータが正しいと判定した場合は冗長フレームの存在を検出したことを示す冗長フレーム検出信号を出力するＩＤ検出装置とを備え、前記物理セクタ同期制御装置は、前記冗長フレーム検出信号の有無に対応して、前記セクタ先頭フレームタイミング信号及び前記セクタ先頭＋１フレームタイミング信号の位相を制御することを特徴とする。
【００１５】
本発明の一態様による光ディスク再生におけるデータ復調装置は、光ディスクから再生された再生信号から検出されたＳＹＮＣパターンに基づいたＳＹＮＣパターン検出信号を与えられ、隣接する物理セクタ間に冗長フレームが無い場合のＳＹＮＣパターンの発生順序を検出し、第１のセクタ先頭検出信号を出力する第１のＳＹＮＣパターン発生順序検出装置と、前記ＳＹＮＣパターン検出信号を与えられ、隣接する前記物理セクタ間に前記冗長フレームが有る場合の前記ＳＹＮＣパターンの発生順序を検出し、第２のセクタ先頭検出信号を出力する第２のＳＹＮＣパターン発生順序検出装置と、ＳＹＮＣフレームのタイミングを示すフレームタイミング信号と、前記第１のセクタ先頭検出信号又は前記第２のセクタ先頭検出信号とを与えられ、物理セクタの周期性に基づいて、前記光ディスクから再生された再生信号の復調タイミングの位相を制御するためのセクタ先頭フレームタイミング信号、及び前記セクタ先頭フレームタイミング信号を１フレーム遅らせたセクタ先頭＋１フレームタイミング信号を出力する物理セクタ同期制御装置と、前記セクタ先頭フレームタイミング信号及び前記セクタ先頭＋１フレームタイミング信号と、前記光ディスクに書き込まれたデータを復調した復調データとを与えられ、前記セクタ先頭フレームタイミング信号に示された前記物理セクタのＩＤデータ及び前記セクタ先頭＋１フレームタイミング信号に示された前記物理セクタのＩＤデータの正誤判定を行い、その判定結果に基づいてセクタアドレスを生成し、前記セクタ先頭＋１フレームタイミング信号に示された前記物理セクタのＩＤデータが正しいと判定した場合は冗長フレームの存在を検出したことを示す冗長フレーム検出信号を出力するＩＤ検出装置とを備え、前記物理セクタ同期制御装置は、前記冗長フレーム検出信号の有無に対応して、前記セクタ先頭フレームタイミング信号及び前記セクタ先頭＋１フレームタイミング信号の位相を制御することを特徴とする光ディスク再生における。
【発明の効果】
【００１６】
本発明の光ディスク再生におけるデータ復調装置は、冗長フレームが付加されたデータセグメントを再生する際に、物理セクタ位相の同期化処理を適正に行い正しく再生することが可能である。
【発明を実施するための最良の形態】
【００１７】
以下、本発明の実施の形態について図面を参照して説明する。
【００１８】
図１に、後述する本発明の実施の形態１〜３によるデータ復調装置を備えた光ディスク再生装置の構成の一例を示す。
【００１９】
システムコントローラ１０の要求に応じて、サーボ装置１１が光ディスクモータ１２を制御し、光ディスク１を所望の速度で回転させると共に、ピックアップ２の光ディスク１に対するフォーカス位置とトラック位置とを制御する。
【００２０】
ピックアップ２によって光ディスク１から読み出された再生信号がデータ復調装置３に入力され、復調後の再生データがメモリコントローラ８を介してメモリ９に書込まれる。メモリ９に再生データが書き込まれると、エラー訂正装置４がメモリコントローラ８を介してメモリ９に書き込んだ再生データを読み出してエラー訂正処理を行う。エラー訂正処理後のエラー訂正済みデータは、メモリコントローラを介してメモり９に書き込まれる。
【００２１】
エラー訂正処理が完了すると、メモリ９からメモリコントローラ８を介してエラー訂正済みデータが読み出されて、デスクランブル及びＥＤＣ装置５に入力される。
【００２２】
デスクランブル及びＥＤＣ装置５においてＥＤＣ計算が行われると共にデスクランブル処理が行われ、デスクランブル処理後のエラー訂正済みデータがメモリコントローラ８を介してメモリ９に書き込まれる。
【００２３】
その後、必要とされる転送レートでメモリ９からメモリコントローラ８を介してデスクランブル後のエラー訂正済みデータが読み出され、ホストインタフェイス６を介してホストコンピュータ７に出力される。尚、各装置からメモリ９へのアクセスは、システムコントローラ１０からの要求に応じてメモリコントローラ８によって制御される。
【００２４】
図２に、ＨＤＤＶＤにおける物理セクタの構成を示す。インターリーブ後のＥＣＣブロックデータに対して、９１バイト毎に所定パターンのＳＹＮＣパターンＳＹ０〜ＳＹ３を付加して各々のＳＹＮＣフレームを生成し、２６個のＳＹＮＣフレームで１個の物理セクタを構成する。１個のＥＣＣブロックデータから１６個の物理セクタを生成する。
【００２５】
ＳＹＮＣパターンＳＹ０〜ＳＹ３はそれぞれ２４ビットであり、データが８→１２変調されて、ＳＹＮＣフレーム長が１１１６ビットとなる。
【００２６】
図３に、ＨＤＤＶＤにおけるデータセグメントの構成を示す。データセグメントの先頭に７１バイトのＶＦＯ領域が設けられ、その後の７７３７６バイトにＤＶＤにおけるＥＣＣブロックに相当するデータを記録するためのデータ領域が配置されている。更に、データ領域に続いて２バイトのポストアンブル領域、４バイトのリザーブ領域、１６バイトのバッファ領域が付加され、ポストアンブル領域にはＳＹ１のＳＹＮＣパターンが記録される。
【００２７】
ＨＤＤＶＤにおいては、光ディスク上にデータセグメントを連続的に記録する。このデータセグメントには、データ領域にポストアンブル領域、リザーブ領域、バッファ領域、ＶＦＯ領域が付加されており、これによりＳＹＮＣフレームが形成される。このように、光ディスク上のデータは、データセグメント毎に、データ領域の前端にＶＦＯ領域、後端にポストアンブル領域、リザーブ領域、バッファ領域という１個の冗長フレームが付加された構造を有している。
【００２８】
（１）実施の形態１
図４に、本実施の形態１によるデータ復調装置の構成を示す。この装置は、ＳＹＮＣパターン検出装置１３、ＳＹＮＣフレーム同期制御装置１４、ＳＹＮＣパターン発生順序検出装置２０ａ及びＳＹＮＣパターン発生順序検出装置２０ｂを含むＳＹＮＣパターン発生順序検出装置２０、物理セクタ同期制御装置２１、ＩＤデータ検出装置１７、メモリアドレス生成装置１８、１２→８復調装置２５を備えている。
【００２９】
再生信号がＳＹＮＣパターン検出装置１３に入力され、ＳＹＮＣ検出タイミング信号と、図２に示されたＳＹ０〜ＳＹ３のパターンを検出したＳＹ０〜ＳＹ３パターン検出信号とが生成されて出力される。
【００３０】
ＳＹＮＣ検出タイミング信号がＳＹＮＣフレーム同期制御装置１４に入力され、ＳＹＮＣフレームの周期性（フレーム長＝１１１６ビット）に基づいてＳＹＮＣ検出タイミング信号の正誤を判定し、正しいＳＹＮＣ検出タイミング信号が得られている場合はこれに基づいてフレームタイミング信号を生成して出力する。正しいＳＹＮＣ検出タイミング信号が得られない場合は、ＳＹＮＣフレームの周期性に基づいた擬似ＳＹＮＣ検出信号を内部で生成することによって、信頼性の高いフレームタイミング信号を生成して出力する。さらに、復調データを図１に示されたメモリ９に書き込む際のバイトアドレスを生成して出力する。
【００３１】
ＳＹ０〜ＳＹ３パターン検出信号がＳＹＮＣパターン発生順序検出装置２０に入力されると、ＳＹ０〜ＳＹ３パターンの発生順序に基づいて物理セクタ内のフレーム位置を判定して信頼性の高いセクタ先頭検出信号を生成する。この時、物理セクタ間に冗長フレームが無い場合のＳＹＮＣパターンＳＹ０〜ＳＹ３の発生順序は、・・・、ＳＹ３、ＳＹ２、ＳＹ１、ＳＹ０となり、物理セクタ間に冗長フレームが有る場合のＳＹＮＣパターンＳＹ０〜ＳＹ３の発生順序は、・・・、ＳＹ２、ＳＹ１、ＳＹ１、ＳＹ０となる。そこで、それぞれの発生順序に基づく２通りのセクタ先頭検出信号として、ＳＹＮＣパターン発生順序検出装置２０ａにおいて冗長フレーム無しのセクタ先頭検出信号を生成し、ＳＹＮＣパターン発生順序検出装置２０ｂにおいて冗長フレーム有りのセクタ先頭検出信号を生成して出力する。
【００３２】
フレームタイミング信号と２通りのセクタ先頭検出信号とが物理セクタ同期制御装置２１に入力される。物理セクタ間に冗長フレームが無い場合の物理セクタの周期性（セクタ長＝２６フレーム）に基づいて、冗長フレーム無しのセクタ先頭予測タイミング信号が内部で生成され、物理セクタ間に冗長フレームが有る場合の物理セクタの周期性（セクタ長＝２７フレーム）に基づいて、冗長フレーム有りのセクタ先頭予測タイミング信号が生成される。これらの信号との一致／不一致に基づいて、２通りのセクタ先頭検出信号の正誤を判定する。
【００３３】
冗長フレーム無しのセクタ先頭検出信号が冗長フレーム無しのセクタ先頭予測タイミング信号と一致し、冗長フレーム有りのセクタ先頭検出信号と冗長フレーム有りのセクタ先頭予測タイミング信号とが不一致の場合、冗長フレーム無しのセクタ先頭検出信号が正しいと判定する。この場合は、物理セクタ同期制御装置２１が保持する物理セクタ周期を２６フレームとし、正しいと判定した冗長フレーム無しのセクタ先頭検出信号に同期したセクタ先頭フレームタイミング信号を生成する。
【００３４】
冗長フレーム無しのセクタ先頭検出信号と冗長フレーム無しのセクタ先頭予測タイミング信号とが不一致であり、冗長フレーム有りのセクタ先頭検出信号と冗長フレーム有りのセクタ先頭予測タイミング信号とが一致の場合、冗長フレーム有りのセクタ先頭検出信号が正しいと判定する。この場合は、物理セクタ同期制御装置２１が保持する物理セクタ周期を２７フレームとし、正しいと判定した冗長フレーム有りのセクタ先頭検出信号に同期したセクタ先頭フレームタイミング信号を生成する。
【００３５】
一方、正しいセクタ先頭検出信号が得られない場合は、物理セクタ間に冗長フレームが無い場合の物理セクタの周期性（セクタ長＝２６フレーム）に基づいた擬似セクタ先頭検出信号を内部で生成することによって、信頼性の高いセクタ先頭フレームタイミング信号を生成する。また復調データをメモリに書き込む際のフレームアドレスを生成する。
【００３６】
再生信号とフレームタイミング信号とが１２→８復調装置２５に入力され、ＳＹＮＣパターン以外の再生信号から復調データが生成されてそのままメモリ書き込み用のデータとして図１のメモリ９に出力される。
【００３７】
セクタ先頭フレームタイミング信号と復調データとがＩＤデータ検出装置１７に入力され、セクタ先頭フレームのデータに対し、ＩＤデータのパリティ計算結果とＩＤデータ値の連続性とが判定される。ＩＤデータが正しいと判定された場合はそのＩＤデータの値がＩＤ値として採用され、ＩＤデータが正しくないと判定された場合は、１つ前の物理セクタのＩＤの値＋１の値がＩＤ値として採用されることにより、信頼性の高いセクタアドレスが生成される。
【００３８】
バイトアドレス、フレームアドレス、セクタアドレスがメモリアドレス生成装置１８に入力され、メモリ書き込みアドレスが生成される。メモリ９にメモリアドレスとメモリデータとが与えられて書き込まれる。
【００３９】
図３に示されたフレーム構造を有する再生信号が図４に示された本実施の形態１によるデータ復調装置に入力された場合における物理セクタ同期制御装置２１の動作について、各信号のタイミングを示した図５を参照して説明する。
【００４０】
再生信号において、前段のデータセグメントにおけるデータ領域の１６番目の物理セクタに続いて冗長フレームが存在し、この後現在のデータセグメントにおけるデータ領域の１番目、２番目、３番目、…の物理セクタが続く。
【００４１】
現在のデータセグメントの１番目の物理セクタの読み取りが開始されるＧ１時点より前のデータセグメントにおける例えば２番目〜１６番目の物理セクタでは、セクタ先頭予測期間内において、ＳＹＮＣパターン発生順序検出装置２０ａから冗長フレーム無しのセクタ先頭検出信号が出力され、ＳＹＮＣパターン発生順序検出装置２０ｂから冗長フレーム有りのセクタ先頭検出信号は出力されない。これにより、冗長フレーム無しのセクタ先頭検出信号が物理セクタ同期制御装置２１に与えられる。
【００４２】
物理セクタ同期制御装置２１の内部では、冗長フレーム無しのセクタ先頭予測タイミング信号と冗長フレーム有りのセクタ先頭予測タイミング信号とが生成されている。この２つのセクタ先頭フレームタイミング信号と、与えられた冗長フレーム無しのセクタ先頭検出信号との一致／不一致に基づいて、セクタ先頭検出信号の正誤を判定する。
【００４３】
ここでは、与えられた冗長フレーム無しのセクタ先頭検出信号が冗長フレーム無しのセクタ先頭予測タイミング信号と一致するので、この冗長フレーム無しのセクタ先頭検出信号が正しいと判定する。これにより、物理セクタ同期制御装置２１が保持する物理セクタ周期を２６フレームとし、冗長フレーム無しのセクタ先頭検出信号に同期したセクタ先頭フレームタイミング信号を生成し出力する。
【００４４】
Ｇ１時点では、冗長フレームにより物理セクタ位相が変化する。セクタ先頭予測期間内において、ＳＹＮＣパターン発生順序検出装置２０におけるＳＹＮＣパターン発生順序検出装置２０ａからは冗長フレーム無しのセクタ先頭検出信号は出力されない。
【００４５】
この場合は、物理セクタ同期制御装置２１内において生成している冗長フレーム無しのセクタ先頭フレームタイミング信号に同期した擬似セクタ先頭フレームタイミング信号を生成する。
【００４６】
一方、Ｇ１時点からセクタ先頭予測期間内において、ＳＹＮＣパターン発生順序検出装置２０ｂから冗長フレーム有りのセクタ先頭検出信号が出力される。この信号が物理セクタ同期制御装置２１に与えられる。
【００４７】
冗長フレーム無しのセクタ先頭検出信号は与えられないので、内部で生成した冗長フレーム無しのセクタ先頭予測タイミング信号とは不一致である。与えられた冗長フレーム有りのセクタ先頭検出信号と内部で生成した冗長フレーム有りのセクタ先頭予測タイミング信号とが一致し、この冗長フレーム有りのセクタ先頭検出信号が正しいと判定する。これにより、物理セクタ同期制御装置２１は内部で保持する物理セクタ周期を２７フレームとし、冗長フレーム有りのセクタ先頭検出信号に同期したセクタ先頭フレームタイミング信号を生成する。
【００４８】
一方、正しいセクタ先頭検出信号が得られない場合には、物理セクタ間に冗長フレームが無い場合の物理セクタの周期性（セクタ長＝２６フレーム）に基づいた擬似セクタ先頭検出信号を内部で生成することによって、信頼性の高いセクタ先頭フレームタイミング信号を生成する。
【００４９】
セクタ先頭フレームタイミング信号がＩＤデータ検出装置１７に与えられると、上述したようにセクタアドレスが生成されてメモリアドレス生成装置１８に与えられ、１番目の物理セクタを正しく再生することができる。
【００５０】
そして、物理セクタ同期制御装置２１内において生成している冗長フレーム無しのセクタ先頭予測タイミング信号、及び冗長フレーム有りのセクタ先頭予測タイミング信号の物理セクタ周期を２７フレームとして加算することで、２番目の物理セクタに同期するように正しく生成する。
【００５１】
２番目の物理セクタの読み取りを開始するＧ２時点において、セクタ先頭予測期間内に冗長フレーム無しのセクタ先頭検出信号がＳＹＮＣパターン発生順序検出装置２０ａから出力され、冗長フレーム無しのセクタ先頭予測タイミング信号と一致し、２番目の物理セクタも正しく再生することができる。以下同様に、３番目から１６番目までの物理セクタを正しく再生することができる。
【００５２】
このように本実施の形態１によれば、データセグメント毎に冗長フレームが付加されて再生周期が一定で無い再生信号を復調する際に、冗長フレーム無しのセクタ先頭検出信号と冗長フレーム有りのセクタ先頭検出信号とを生成し、冗長フレームが無い場合、有る場合のいずれの場合にも物理セクタの先頭に同期したセクタ先頭フレームタイミング信号を生成することで、冗長フレーム直後の１番目の物理セクタ並びにこれに続く２番目以降の物理セクタに対しても物理セクタ位相の同期化処理を適正に行い正しくデータを読み取ることが可能である。
【００５３】
（２）比較例
比較例によるデータ復調装置について、その構成を示した図６を参照して説明する。上記実施の形態１と比較し、ＳＹＮＣパターン発生順序検出回路１５と、物理セクタ同期制御回路１６の動作が異なる。
【００５４】
ＳＹ０〜ＳＹ３パターン検出信号がＳＹＮＣパターン発生順序検出装置１５に入力されると、ＳＹＮＣパターンＳＹ０〜ＳＹ３の発生順序に基づいて物理セクタ内のフレーム位置が判定されてセクタ先頭検出信号が生成される。
【００５５】
フレームタイミング信号とセクタ先頭検出信号とが物理セクタ同期制御装置１６に入力され、物理セクタの周期性に基づいてセクタ先頭検出信号の正誤を判定し、セクタ先頭フレームタイミング信号を生成する。さらに、復調データをメモリに書き込む際のフレームアドレスを生成する。
【００５６】
図３に示されたフレーム構造を有するデータを再生して得られた再生信号を、図６に示された比較例によるデータ復調装置に入力した場合の物理セクタ同期制御装置１６の動作について、各信号のタイミングを示した図７を参照して説明する。物理セクタ同期制御装置１６において、冗長フレームが無い場合の物理セクタの周期性に基づいて、セクタ先頭予測タイミング信号が生成される。
【００５７】
１番目、２番目、３番目の物理セクタの読み取りが開始されるＥ１、Ｅ２、Ｅ３時点では、冗長フレームにより物理セクタ位相が変化し、セクタ先頭予測期間内にセクタ先頭検出信号が得られず、１番目〜３番目の物理セクタのデータを正しく再生することができない。４番目の物理セクタが開始されるＥ４時点でセクタ先頭フレームタイミング信号を新しいセクタ先頭検出信号の位相に同期化した後、４番目以降の物理セクタを正しく再生することができる。
【００５８】
データセグメントの位相が既知の場合は、冗長フレームが入力されるタイミングを予測することができる。よって、セクタ先頭予測位置を１フレーム遅らせることで、物理セクタ位相検出の乱れを防ぐことができる。しかし、上述のようにシーク直後等のようにデータセグメントの位相が不明な場合は、物理セクタ位相の同期化処理が遅れてその間の物理セクタの再生を行うことができないという問題が発生する。
【００５９】
（３）実施の形態２
本発明の実施の形態２によるデータ復調装置について説明する。図８に、図１に示された光ディスク再生装置における本実施の形態２によるデータ復調装置の構成を示す。
【００６０】
上記実施の形態１と比較し、本実施の形態２はＳＹＮＣパターン発生順序検出装置１５、物理セクタ同期制御回路２２、ＩＤデータ検出装置２３の動作が異なる。他の構成要素は上記実施の形態１と同様であり、説明を省略する。
【００６１】
ＳＹ０〜ＳＹ３パターン検出信号がＳＹＮＣパターン発生順序検出装置１５に入力され、ＳＹＮＣパターンＳＹ０〜ＳＹ３の発生順序に基づいて物理セクタ内のフレーム位置が判定されて信頼性の高いセクタ先頭検出信号が生成され出力される。ここで、物理セクタ間に冗長フレームが無い場合のＳＹＮＣパターンＳＹ０〜ＳＹ３の発生順序は、・・・、ＳＹ３、ＳＹ２、ＳＹ１、ＳＹ０となるので、この発生順序に基づくセクタ先頭検出信号が生成される。物理セクタ間に冗長フレームがある場合は、セクタ先頭検出信号は生成されない。
【００６２】
フレームタイミング信号、セクタ先頭検出信号、後述するようにＩＤデータ検出装置２３内のＩＤデータ判定装置２３ａから出力された冗長フレーム検出信号が物理セクタ同期制御装置２２に入力される。物理セクタ間に冗長フレームが無い場合の物理セクタの周期性（セクタ長＝２６フレーム）に基づいて、セクタ先頭検出信号の正誤が判定される。
【００６３】
冗長フレーム無しのセクタ先頭検出信号が正しいと判定された場合は、物理セクタ同期制御装置２４において保持されているセクタ周期が２６フレームとなる。冗長フレーム有りのセクタ先頭検出信号が正しいと判定された場合は、物理セクタ同期制御装置２４に保持された物理セクタ周期が２７フレームとなる。正しいセクタ先頭検出信号が得られない場合は、物理セクタ間に冗長フレームが無い場合の物理セクタの周期性（セクタ長＝２６フレーム）に基づいた擬似セクタ先頭検出信号が内部で生成されることによって、信頼性の高いセクタ先頭フレームタイミング信号とセクタ先頭＋１フレームタイミング信号とが生成される。
【００６４】
正しいセクタ先頭検出信号が得られず、かつ冗長フレーム検出信号が入力された場合は、物理セクタ同期制御装置２４に保持された２６フレームの物理セクタ位相が強制的に１フレーム遅れて２７フレーム周期となる。また、復調データがメモリに書き込まれる際のフレームアドレスが生成されて出力される。
【００６５】
再生信号と、ＳＹＮＣフレーム同期制御装置１４から出力されたフレームタイミング信号とが１２→８復調装置２５に入力され、再生信号におけるＳＹＮＣパターン以外のデータ領域が用いられて復調データが生成され、図１に示されたメモリ９にメモリデータとして出力される。
【００６６】
物理セクタ同期制御装置２２から出力されたセクタ先頭フレームタイミング信号、セクタ先頭＋１フレームタイミング信号と、１２→８復調装置２５から出力された復調データとがＩＤデータ検出装置２３内のＩＤデータ判定装置２３ａに入力される。
【００６７】
ＩＤデータ判定装置２３ａにおいて、セクタ先頭フレームのデータとセクタ先頭＋１フレームのデータとに対し、それぞれＩＤデータのパリティ計算結果とＩＤデータ値の連続性が判定され、ＩＤデータが正しいと判定されたフレームをセクタ先頭としてセクタアドレスが生成されて出力される。また、セクタ先頭＋１フレームのＩＤデータが正しいと判定された場合は、冗長フレーム検出信号が生成されて上述のように物理セクタ同期制御装置２２に出力される。更に、セクタ先頭フレームのＩＤデータとセクタ先頭＋１フレームのＩＤデータの両方とも正しくないと判定された場合は、１つ前の物理セクタのＩＤ値＋１の値がＩＤ値として採用され、冗長フレーム検出信号は生成されない。このように、ＩＤデータ検出装置２３において、セクタアドレスを生成するために必要なＩＤデータが正しく読むことができたか否かを判断する必要がある。
【００６８】
従って本実施の形態２では、ＩＤデータを正しく読むことができない場合には、次の物理セクタの読み出しを行うまではデータを正しく読むことができない場合がある。一方、上記実施の形態１ではこのようなＩＤデータの読み取りの影響を受けることはない。しかし、上記実施の形態１では、光ディスク面における傷や塵埃等によりＳＹＮＣパターンの並びを正しく検出することができない場合には、ＳＹＮＣパターン発生順序検出装置２０から冗長フレーム無し又は有りのセクタ先頭検出信号が出力されず、データを正しく読むことができない場合も考えられる。本実施の形態２ではＳＹＮＣの並びの検出に依存することなくデータの読み取りが可能である。
【００６９】
バイトアドレス、フレームアドレス、セクタアドレスがメモリアドレス生成装置１８に入力され、メモリ書き込みアドレスが生成されてメモリに出力される。１２→８復調装置２５から出力された復調データは、そのままメモリに対して書き込みデータとして与えられる。
【００７０】
図３に示された構造の再生信号が上記実施の形態２によるデータ復調装置に入力された場合における物理セクタ同期制御装置２２とＩＤデータ検出装置２３の動作について、各信号のタイムチャートに相当する図９を用いて説明する。
【００７１】
現在のデータセグメントにおける１番目の物理セクタの読み取りが開始されるＨ１時点より前のデータセグメントにおける例えば２番目〜１６番目の物理セクタにおいて、ＳＹＮＣパターン発生順序検出装置１５からセクタ先頭検出信号が出力され物理セクタ同期制御装置２２に出力される。
【００７２】
物理セクタ同期制御装置２２では、保持している物理セクタ位相に従い冗長フレーム無しのセクタ先頭予測タイミング信号と冗長フレーム有りのセクタ先頭予測タイミング信号とを内部で生成する。
【００７３】
そして、与えられたセクタ先頭検出信号と、冗長フレーム無しのセクタ先頭予測タイミング信号と冗長フレーム有りのセクタ先頭予測タイミング信号とを比較する。セクタ先頭検出信号と冗長フレーム無しのセクタ先頭予測タイミング信号とが一致し、２６フレーム間隔の物理セクタ位相を保持したままこのタイミングに同期したセクタ先頭フレームタイミング信号と、１フレーム遅らせたセクタ先頭＋１フレームタイミング信号とを生成してＩＤデータ検出装置２３に出力する。
【００７４】
ＩＤデータ検出装置２３において、セクタ先頭フレームタイミング信号とセクタ先頭＋１フレームタイミング信号とが示すフレームについて、それぞれＩＤデータの判定が行われる。物理セクタ位相が変化していない段階では、セクタ先頭フレームのＩＤデータの判定結果は「正しい（ＯＫ）」であり、セクタ先頭＋１フレームのＩＤデータの判定結果は「正しくない（ＮＧ）」である。セクタ先頭フレームタイミング信号が採用され、これに基づきセクタアドレスが出力され、正しいデータの読み出しが行われる。冗長フレーム検出信号は出力されない。
【００７５】
Ｈ１時点において、冗長フレームの存在により物理セクタ間の同期信号ＳＹ０〜ＳＹ３の発生順序が変わる。このため、ＳＹＮＣパターン発生順序検出装置１５からセクタ先頭検出信号が出力されず、物理セクタ同期制御装置２２においてセクタ先頭予測期間内にセクタ先頭検出信号が得られない。物理セクタ同期制御回路２２において、Ｈ１時点までの２６フレーム間隔の物理セクタ位相を保持したまま、冗長フレーム無しのセクタ先頭予測タイミング信号と冗長フレーム有りのセクタ先頭予測タイミング信号とに基づいて、擬似セクタ先頭フレームタイミング信号とセクタ先頭＋１フレームタイミング信号とが生成され出力される。
【００７６】
ＩＤデータ検出装置２３において、セクタ先頭フレームタイミング信号とセクタ先頭＋１フレームタイミング信号とが示すフレームについて、それぞれＩＤデータの判定が行われる。Ｈ１時点で冗長フレームにより物理セクタ位相が変化しているので、セクタ先頭フレームのＩＤデータの判定結果は「正しくない（ＮＧ）」であり、セクタ先頭＋１フレームのＩＤデータの判定結果は「正しい（ＯＫ）」となる。この場合には、冗長フレーム検出信号が物理セクタ同期制御装置２１に出力される。
【００７７】
物理セクタ同期制御装置２２において、保持していた物理セクタ位相がこの冗長フレーム検出信号によって強制的に１フレーム遅らせられて２７フレーム間隔となり正しい物理セクタ位相に同期化する。これにより、２７フレーム加算された冗長フレーム無しのセクタ先頭予測タイミング信号と冗長フレーム有りのセクタ先頭予測タイミング信号とが生成され、これらとセクタ先頭検出信号とに基づいて２番目以降の物理セクタに同期したセクタ先頭フレームタイミング信号とセクタ先頭＋１フレームタイミング信号とが生成され、正しくデータを読み取ることができる。また、同期化のタイミングに対してメモリへの書き込みのタイミングを遅らせることにより、１番目の物理セクタを全て正しく再生することも可能である。
【００７８】
このように本実施の形態２によれば、データセグメント毎に冗長フレームが付加されてＩＤデータの再生周期が一定で無い再生データのＩＤデータを検出しセクタアドレスを生成する際に、ＩＤデータのパリティ計算結果とＩＤデータ値の連続性とを判定することで、冗長フレーム直後に生じる物理セクタ周期の乱れに対して安定して追従し、１番目の物理セクタ並びに後続する２番目以降の物理セクタからデータを正しく読み取ることが可能である。
【００７９】
（４）実施の形態３
本発明の実施の形態３によるデータ復調装置について、その構成を示した図１０を参照して説明する。
【００８０】
本実施の形態３によるデータ復調装置は、上記実施の形態１におけるＳＹＮＣパターン発生順序検出装置２０、物理セクタ同期制御装置２１における動作と、上記実施の形態２における物理セクタ同期制御装置２２、ＩＤデータ検出装置２３における動作とを組み合わせたものに相当する。
【００８１】
先ず、上記実施の形態１と同様に、再生信号がＳＹＮＣパターン検出装置１３に入力され、ＳＹＮＣ検出タイミング信号と、ＳＹ０〜ＳＹ３パターン検出信号とが生成されて出力される。
【００８２】
ＳＹＮＣ検出タイミング信号がＳＹＮＣフレーム同期制御装置１４に入力され、ＳＹＮＣフレームの周期性（フレーム長＝１１１６ビット）に基づいてＳＹＮＣ検出信号の正誤が判定され、正しいＳＹＮＣ検出信号が得られた場合はＳＹＮＣ検出信号に基づいてフレームタイミング信号が生成され、得られなかった場合はＳＹＮＣフレームの周期性に基づいた擬似ＳＹＮＣ検出信号が内部で生成されることによって、信頼性の高いフレームタイミング信号が生成され出力される。また、復調データがメモリに書き込まれる際に必要なバイトアドレスが生成され、メモリアドレス生成装置１８に出力される。
【００８３】
ＳＹ０〜ＳＹ３パターン検出信号がＳＹＮＣパターン発生順序検出装置２０に入力され、ＳＹＮＣパターンＳＹ０〜ＳＹ３の発生順序に基づいて物理セクタ内のフレーム位置が判定されて、信頼性の高いセクタ先頭検出信号を生成する。物理セクタ間に冗長フレームが無い場合の同期信号ＳＹ０〜ＳＹ３の発生順序は、・・・、ＳＹ３、ＳＹ２、ＳＹ１、ＳＹ０となり、物理セクタ間に冗長フレームが有る場合の同期信号ＳＹ０〜ＳＹ３の発生順序は、・・・、ＳＹ２、ＳＹ１、ＳＹ１、ＳＹ０となるので、それぞれの発生順序に基づくセクタ先頭検出信号を２通り生成して出力する。物理セクタ間に冗長フレームが無い場合は、ＳＹＮＣパターン発生順序検出装置２０ａから冗長フレーム無しのセクタ先頭検出信号が出力される。物理セクタ間に冗長フレームが有る場合は、ＳＹＮＣパターン発生順序検出装置２０ｂから冗長フレーム有りのセクタ先頭検出信号が出力される。
【００８４】
フレームタイミング信号と、冗長フレーム無し又は有りのセクタ先頭検出信号と、冗長フレーム検出信号とが物理セクタ同期制御装置２４に入力される。物理セクタ間に冗長フレームが無い場合の物理セクタの周期性（セクタ長＝２６フレーム）と、物理セクタ間に冗長フレームが有る場合の物理セクタの周期性（セクタ長＝２７フレーム）とに基づいて、それぞれのセクタ先頭検出信号の正誤が判定される。
【００８５】
冗長フレーム無しのセクタ先頭検出信号が正しいと判定された場合は、物理セクタ同期制御装置２１において保持されているセクタ周期が２６フレームとなる。冗長フレーム有りのセクタ先頭検出信号が正しいと判定された場合は、物理セクタ同期制御装置２１に保持された物理セクタ周期が２７フレームとなる。正しいセクタ先頭検出信号が得られない場合は、物理セクタ間に冗長フレームが無い場合の物理セクタの周期性（セクタ長＝２６フレーム）に基づいた擬似セクタ先頭検出信号が内部で生成されることによって、信頼性の高いセクタ先頭フレームタイミング信号とセクタ先頭＋１フレームタイミング信号とが生成される。正しいセクタ先頭検出信号が得られず、かつ冗長フレーム検出信号が入力された場合は、物理セクタ同期制御装置２４に保持されたセクタ位相が強制的に１フレーム遅らせられる。また、復調データがメモリに書き込まれる際のフレームアドレスが生成されて出力される。
【００８６】
再生信号と、ＳＹＮＣフレーム同期制御装置１４から出力されたフレームタイミング信号とが１２→８復調装置２５に入力され、再生信号におけるＳＹＮＣパターン以外のデータ領域が用いられて復調データが生成され、メモリデータとして出力される。
【００８７】
セクタ先頭フレームタイミング信号、セクタ先頭＋１フレームタイミング信号、復調データがＩＤデータ検出装置２３に入力される。セクタ先頭フレームのデータとセクタ先頭＋１フレームのデータとに対して、それぞれＩＤデータのパリティ計算結果とＩＤデータ値の連続性とが判定され、ＩＤデータが正しいと判定されたフレームがセクタ先頭であるとしてセクタアドレスが生成される。
【００８８】
セクタ先頭＋１フレームのＩＤデータが正しいと判定された場合は、冗長フレーム検出信号が生成されて物理セクタ同期制御装置２４に出力される。また、セクタ先頭フレームのＩＤデータとセクタ先頭＋１フレームのＩＤデータとが両方とも正しくないと判定された場合は、１つ前のセクタのＩＤ値＋１の値がＩＤ値として採用され、冗長フレーム検出信号は生成されない。
【００８９】
バイトアドレス、フレームアドレス、セクタアドレスがメモリアドレス生成装置１８に入力され、メモリ書き込みアドレスが生成されて図示されていないメモリに出力される。１２→８復調装置２５から出力された復調データはそのままメモリにメモリ書き込みデータとして出力される。
【００９０】
図３に示された構造の再生信号が本実施の形態３のデータ復調装置に入力された場合における物理セクタ同期制御装置２４とＩＤデータ検出装置２３の動作について、各信号のタイムチャートに相当する図１１を参照して説明する。
【００９１】
１番目の物理セクタの読み取りが開始されるＨ１時点より前のデータセグメントにおける例えば２番目〜１６番目の物理セクタでは、セクタ先頭予測期間内において、ＳＹＮＣパターン発生順序検出装置２０ａから冗長フレーム無しのセクタ先頭検出信号が出力され、ＳＹＮＣパターン発生順序検出装置２０ｂから冗長フレーム有りのセクタ先頭検出信号は出力されない。これにより、冗長フレーム無しのセクタ先頭検出信号が物理セクタ同期制御装置２４に与えられる。
【００９２】
物理セクタ同期制御装置２４の内部では、冗長フレーム無しのセクタ先頭予測タイミング信号と冗長フレーム有りのセクタ先頭予測タイミング信号とが生成されている。この２つのセクタ先頭フレームタイミング信号と、与えられた冗長フレーム無しのセクタ先頭検出信号との一致／不一致に基づいて、セクタ先頭検出信号の正誤を判定する。
【００９３】
ここでは、与えられた冗長フレーム無しのセクタ先頭検出信号が冗長フレーム無しのセクタ先頭予測タイミング信号と一致するので、この冗長フレーム無しのセクタ先頭検出信号が正しいと判定する。これにより、物理セクタ同期制御装置２１が保持する物理セクタ周期を２６フレームを保持したままこのタイミングに同期したセクタ先頭フレームタイミング信号と、１フレーム遅らせたセクタ先頭＋１フレームタイミング信号とを生成してＩＤデータ検出装置２３に出力する。
【００９４】
ＩＤデータ検出装置２３において、セクタ先頭フレームタイミング信号とセクタ先頭＋１フレームタイミング信号とが示すフレームについて、それぞれＩＤデータの判定が行われる。物理セクタ位相が変化していない段階では、セクタ先頭フレームのＩＤデータの判定結果は「正しい（ＯＫ）」であり、セクタ先頭＋１フレームのＩＤデータの判定結果は「正しくない（ＮＧ）」である。セクタ先頭フレームタイミング信号が採用され、これに基づきセクタアドレスが出力され、正しいデータの読み出しが行われる。冗長フレーム検出信号は出力されない。
【００９５】
Ｈ１時点では、物理セクタ同期制御装置２４において、冗長フレームの存在により物理セクタ位相が変化する。これにより、セクタ先頭予測期間内において冗長フレーム無しのセクタ先頭検出信号は出力されない。また、再生エラー等によってＳＹＮＣパターンが破壊された場合には、図１１において点線で示されたように、セクタ先頭予測期間内において冗長フレーム有りのセクタ先頭検出信号も出力されないことがある。このような場合は、Ｈ１時点までの物理セクタ位相が保持されたまま擬似セクタ先頭フレームタイミング信号とセクタ先頭＋１フレームタイミング信号とが生成されて出力される。
【００９６】
ＩＤデータ検出装置２３において、セクタ先頭フレームタイミング信号が示すフレームとセクタ先頭＋１フレームタイミング信号が示すフレームとに対して、それぞれＩＤデータの判定が行われる。Ｈ１時点で冗長フレームの存在によってセクタ位相が変化する。この結果、セクタ先頭＋１フレームのＩＤデータが正しい（ＯＫ）ＩＤデータであると判定され、冗長フレーム検出信号が物理セクタ同期制御装置２４に出力される。
【００９７】
物理セクタ同期制御装置２４において保持されている物理セクタ位相が、ＩＤデータ検出装置２３から与えられた冗長フレーム検出信号によって強制的に１フレーム遅らせられて、正しい物理セクタ位相に同期化する。これにより、２７フレームが加算された冗長フレーム無しのセクタ先頭予測タイミング信号と冗長フレーム有りのセクタ先頭予測タイミング信号とが生成される。これらとセクタ先頭検出信号とに基づいて２番目以降の物理セクタに同期したセクタ先頭フレームタイミング信号とセクタ先頭＋１フレームタイミング信号とが生成され、さらにそれぞれのＩＤデータの正誤の判定が行われることにより、２番目以降の物理セクタを正しく再生することができる。また、同期化のタイミングに対してメモリ書き込みのタイミングを遅らせることにより、１番目の物理セクタを全て正しく再生することも可能である。
【００９８】
このように本実施の形態２によれば、上記実施の形態１におけるＳＹＮＣパターン発生順序検出装置２０、物理セクタ同期制御装置２１における動作と、上記実施の形態２における物理セクタ同期制御装置２２、ＩＤデータ検出装置２３における動作とを組み合わせることにより、いずれか一方の動作に不具合が発生した場合、即ち、光ディスク面における傷や塵埃等によりＳＹＮＣの並びを正しく検出することができない場合、あるいはＩＤデータを正しく読むことができない場合のいずれか一方が発生した場合であっても、冗長フレーム直後の１番目の物理セクタからデータを正しく読み出すことができる。
【００９９】
上記実施の形態はいずれも一例であって、本発明の技術的範囲内において様々に変形することが可能である。例えば、上記実施の形態１〜３において、ＩＤデータの判定の際に、ＩＤデータのパリティ計算結果とＩＤデータ値の連続性の両方が用いられる。しかし必ずしも両方を用いる必要はなく、ＩＤデータのパリティ計算結果のみ、またはＩＤデータ値の連続性の判定のみが用いられてもよい。
【０１００】
ＩＤデータのパリティ計算結果のみが用いられる場合は、ＩＤデータのパリティの誤判定による冗長フレームの誤検出も可能性として考えられる。しかし、セクタ先頭＋１フレームのＩＤデータとＩＥＤデータのみで判定が可能であるため、冗長フレームの検出を高速に行うことができる。
【０１０１】
ＩＤデータ値の連続性に基づいてＩＤデータの判定が行われる場合は、冗長フレームの検出のために、連続する２物理セクタのＩＤデータが必要なため時間を要する。しかし、連続する２つのＩＤデータ値に基づくため信頼性の高い冗長フレームの検出が可能である。
【０１０２】
物理セクタ周期の検出に、ＳＹＮＣパターン発生順序の判定結果とＩＤデータのパリティ計算結果とが用いられることにより、複数の物理セクタ毎に冗長フレームが付加されたセグメント構造のデータが再生される際に、セグメント周期が予測できない場合でも安定した物理セクタ周期の検出が可能になり、冗長フレーム直後の再生データの破壊を防止することができる。
【図面の簡単な説明】
【０１０３】
【図１】本発明の実施の形態１〜３によるデータ復調装置を備えた光ディスク再生装置の構成を示すブロック図。
【図２】ＨＤＤＶＤにおける物理セクタの構成を示す説明図。
【図３】ＨＤＤＶＤにおけるデータセグメントの構成を示す説明図。
【図４】本発明の実施の形態１によるデータ復調装置の構成を示すブロック図。
【図５】同データ復調装置における物理セクタ同期制御装置の動作を説明するための各信号のタイムチャート。
【図６】比較例によるデータ復調装置の構成を示すブロック図。
【図７】同データ復調装置における物理セクタ同期制御装置の動作を説明するための各信号のタイムチャート。
【図８】本発明の実施の形態２によるデータ復調装置の構成を示すブロック図。
【図９】同データ復調装置における物理セクタ同期制御装置及びＩＤデータ検出装置の動作を説明するための各信号のタイムチャート。
【図１０】本発明の実施の形態３によるデータ復調装置の構成を示すブロック図。
【図１１】同データ復調装置における物理セクタ同期制御装置及びＩＤデータ検出装置の動作を説明するための各信号のタイムチャート。
【符号の説明】
【０１０４】
１  光ディスク
３  データ復調装置
９  メモリ
１３  ＳＹＮＣパターン検出装置
１４  ＳＹＮＣフレーム同期制御装置
１５、２０、２０ａ、２０ｂ  ＳＹＮＣパターン発生順序検出装置
１７、２３  ＩＤデータ検出装置
１８  メモリアドレス生成装置
２１、２２、２４  物理セクタ同期制御装置
２５  １２→８復調装置
【図１】
2009252252.tif 000003
【図２】
2009252252.tif 000004
【図３】
2009252252.tif 000005
【図４】
2009252252.tif 000006
【図５】
2009252252.tif 000007
【図６】
2009252252.tif 000008
【図７】
2009252252.tif 000009
【図８】
2009252252.tif 000010
【図９】
2009252252.tif 000011
【図１０】
2009252252.tif 000012
【図１１】
2009252252.tif 000013